(57)【要約】【課題】信頼性に優れた換気装置を提供する。【解決手段】空調システム１は、対象空間である室内空間ＳＩの換気を行う。空調システム１は、給気ファン２１と、排気ファン２２と、コントローラ６と、を備える。給気ファン２１は、室外空間ＳＯの空気である外気ＯＡを室内空間ＳＩ内に取り込む。排気ファン２２は、室内空間ＳＩ内の空気である内気ＲＡを室外空間ＳＯに排出する。コントローラ６は、給気ファン２１及び排気ファン２２の運転を制御する。コントローラ６は、給気ファン２１及び排気ファン２２のうちいずれか一方のファンである第１ファンが異常停止した場合、室内空間ＳＩ内を負圧または正圧にするために、給気ファン２１及び排気ファン２２から異常停止した第１ファンを除く残りのファンである第２ファンの運転を継続させる。【選択図】図１１
2014152978.tif 000002
【特許請求の範囲】
【請求項１】
対象空間（ＳＩ）の換気を行うための換気装置（１）であって、
前記対象空間外の空気である外気（ＯＡ）を前記対象空間内に取り込む給気ファン（２１）と、
前記対象空間内の空気である内気（ＲＡ）を前記対象空間外（ＳＯ）に排出する排気ファン（２２）と、
前記給気ファン及び前記排気ファンの運転を制御するファン制御部（６２、６５）と、
を備え、
前記ファン制御部は、
前記給気ファン及び前記排気ファンのうちいずれか一方のファンである第１ファンが  異常停止した場合、前記対象空間内を負圧または正圧にするために、前記給気ファン及  び前記排気ファンから前記第１ファンを除く残りのファンである第２ファンの運転を継  続させる、
換気装置。
【請求項２】
前記給気ファンによって取り込まれる外気が通過する給気流路（ＦＰ１）上に配設され、前記給気ファンによって取り込まれる外気を加熱可能な加熱部（３）と、
前記加熱部の運転を制御する加熱制御部（６３、６５）と、
をさらに備え、
前記加熱制御部は、
前記第１ファンが異常停止した場合、前記加熱部による加熱を停止させ、
前記ファン制御部は、
前記第１ファンが異常停止した場合、前記対象空間内を負圧にするために、前記第２  ファンの運転を継続させ、
前記第１ファンは、前記給気ファンであり、
前記第２ファンは、前記排気ファンである、
請求項１に記載の換気装置。
【請求項３】
前記加熱部は、その内部に電流が供給されることによって発生する熱と、前記給気ファンによって取り込まれる外気と、を熱交換させることにより、前記給気ファンによって取り込まれる外気を加熱し、
前記加熱制御部は、前記第１ファンが異常停止した場合、前記加熱部への電流の供給を遮断することによって前記加熱部による加熱を停止させる、
請求項２に記載の換気装置。
【請求項４】
前記第１ファンの異常停止を検知する異常停止検知部（６５）、
をさらに備え、
前記ファン制御部は、
前記異常停止検知部が前記第１ファンの異常停止を検知した場合、前記第２ファンの  運転を継続させる、
請求項１から３のいずれか１項に記載の換気装置。
【請求項５】
前記給気ファンによって取り込まれる外気の温度である外気温（ＯＴ）を検知する外気温センサ（４）、
をさらに備え、
前記ファン制御部は、
前記異常停止検知部が前記第１ファンの異常停止を検知した場合において、前記外気  温センサが検知する前記外気温が、予め設定される第１閾値（ΔＴ１）未満である時に  は、前記第２ファンの運転を所定時間継続した後に停止させる、
請求項４に記載の換気装置。
【請求項６】
前記ファン制御部は、前記外気温センサが検知する前記外気温が予め設定される第２閾値（ΔＴ２）以上となった時には、前記第２ファンの運転を再開させる、
請求項５に記載の換気装置。
【請求項７】
前記給気ファンによって取り込まれる外気の温度である外気温（ＯＴ）を検知する外気温センサ（４）、
をさらに備え、
前記ファン制御部は、
前記異常停止検知部が前記第１ファンの異常停止を検知した場合において、前記外気  温センサが検知する前記外気温が予め設定される第２閾値（ΔＴ２）以上である時には  、前記第２ファンの運転を継続させ、その後に前記外気温センサが検知する前記外気温  が予め設定される第１閾値（ΔＴ１）未満となった時には、所定時間経過後に前記第２  ファンの運転を停止させる、
請求項４から６のいずれか１項に記載の換気装置。
【請求項８】
前記給気ファンによって取り込まれる外気が通過する給気流路（ＦＰ１）上に配設され、前記給気ファンによって取り込まれる外気を加熱可能な加熱部（３）と、
前記加熱部の運転を制御する加熱制御部（６３、６５）と、
前記給気ファンによって取り込まれる外気の温度である外気温（ＯＴ）を検知する外気温センサ（４）と、
をさらに備え、
前記加熱制御部は、
前記外気温センサが検出する外気温の値が、予め設定される所定の数値範囲（ＳＶ）  外となった時には、前記加熱部による加熱を停止させ、
前記ファン制御部は、
前記外気温センサが検出する外気温の値が前記所定の数値範囲外となった時には、所  定時間経過後に前記給気ファン及び前記排気ファンの運転を停止させる、
請求項１から７のいずれか１項に記載の換気装置。
【発明の詳細な説明】
【技術分野】
【０００１】
本発明は、対象空間の換気を行うための換気装置に関する。
【背景技術】
【０００２】
従来、外気を室内空間に取り込む給気ファンと、内気を室外空間に排出する排気ファンと、を備える換気装置が知られている。例えば、特許文献１（特開２００５−４２９５５号公報）に開示される換気装置では、その内部に給気流路及び排気流路が形成され、給気流路に給気ファンが配設されるとともに排気流路に排気ファンが配設されている。
【発明の概要】
【発明が解決しようとする課題】
【０００３】
ところで、上述のような２以上のファンを備えた換気装置では、いずれかのファンが故障等により異常停止した場合には、復旧が完了するまでの期間、室内空間の換気を行うことができず、高い信頼性を確保できないことが考えられる。
【０００４】
そこで本発明の課題は、信頼性に優れた換気装置を提供することである。
【課題を解決するための手段】
【０００５】
本発明の第１観点に係る換気装置は、対象空間の換気を行うための換気装置であって、給気ファンと、排気ファンと、ファン制御部と、を備える。給気ファンは、対象空間外の空気である外気を対象空間内に取り込む。排気ファンは、対象空間内の空気である内気を対象空間外に排出する。ファン制御部は、給気ファン及び排気ファンの運転を制御する。ファン制御部は、給気ファン及び排気ファンのうちいずれか一方のファンである第１ファンが異常停止した場合、対象空間内を負圧または正圧にするために、給気ファン及び排気ファンから第１ファンを除く残りのファンである第２ファンの運転を継続させる。
【０００６】
本発明の第１観点に係る換気装置では、給気ファン及び排気ファンのうちいずれか一方のファンである第１ファンが故障等により異常停止した場合に、第２ファンの運転を継続させて、対象空間内を負圧または正圧とする。これにより、対象空間内に外気を流入、または対象空間内から内気を流出させることが可能となる。即ち、第１ファンが故障等により異常停止しても、対象空間の換気を継続的に行うことができる。したがって、換気装置の信頼性が向上する。
【０００７】
本発明の第２観点に係る換気装置は、第１観点に係る換気装置であって、加熱部と、加熱部の運転を制御する加熱制御部と、をさらに備える。加熱部は、給気ファンによって取り込まれる外気が通過する給気流路上に配設される。加熱部は、給気ファンによって取り込まれる外気を加熱できる。加熱制御部は、第１ファンが異常停止した場合、加熱部による加熱を停止させる。ファン制御部は、第１ファンが異常停止した場合、対象空間内を負圧にするために、第２ファンの運転を継続させる。第１ファンは、給気ファンである。第２ファンは、排気ファンである。
【０００８】
本発明の第２観点に係る換気装置では、第１ファンが異常停止した場合、加熱制御部は加熱部による加熱を停止させ、ファン制御部は対象空間内を負圧にするために第２ファンの運転を継続させる。また、第１ファンは給気ファンであり、第２ファンは排気ファンである。このように、給気ファンが異常停止した場合に、排気ファンを継続的に運転させて対象空間を負圧とすることで、対象空間内に外気を流入させることができる。このため、給気ファンが異常停止しても対象空間の換気を継続的に行うことが可能となる。
【０００９】
本発明の第３観点に係る換気装置は、第２観点に係る換気装置であって、加熱部は、その内部に電流が供給されることによって発生する熱と、給気ファンによって取り込まれる外気と、を熱交換させることにより、給気ファンによって取り込まれる外気を加熱する。加熱制御部は、第１ファンが異常停止した場合、加熱部への電流の供給を遮断することによって、加熱部による加熱を停止させる。
【００１０】
これにより、電熱ヒータを備える換気装置の信頼性及び安全性が向上する。
【００１１】
本発明の第４観点に係る換気装置は、第１観点から第３観点のいずれかに係る換気装置であって、異常停止検知部をさらに備える。異常停止検知部は、第１ファンの異常停止を検知する。ファン制御部は、異常停止検知部が第１ファンの異常停止を検知した場合、第２ファンの運転を継続させる。
【００１２】
これにより、第１ファンが故障等により異常停止した場合に、精度よく対象空間の換気を継続的に行うことが可能となる。
【００１３】
本発明の第５観点に係る換気装置は、第４観点に係る換気装置であって、外気温センサをさらに備える。外気温センサは、給気ファンによって取り込まれる外気の温度である外気温を検知する。ファン制御部は、異常停止検知部が第１ファンの異常停止を検知した場合において、外気温センサが検知する外気温が、予め設定される第１閾値未満である時には、第２ファンの運転を所定時間継続した後に停止させる。
【００１４】
これにより、第１ファンが異常停止した場合に、対象空間に冷気が継続的に流入して室内の温度が低下することを抑制できる。したがって、第１ファンが異常停止した場合にも、快適性に優れた換気を行うことが可能となる。
【００１５】
本発明の第６観点に係る換気装置は、第５観点に係る換気装置であって、ファン制御部は、外気温センサが検知する外気温が予め設定される第２閾値以上となった時には、第２ファンの運転を再開させる。
【００１６】
これにより、第１ファンが異常停止した場合にも、快適性に優れた換気を行うことが可能となる。
【００１７】
本発明の第７観点に係る換気装置は、第４観点から第６観点のいずれかに係る換気装置であって、外気温センサをさらに備える。外気温センサは、給気ファンによって取り込まれる外気の温度である外気温を検知する。ファン制御部は、異常停止検知部が第１ファンの異常停止を検知した場合において、外気温センサが検知する外気温が、予め設定される第２閾値以上である時には、第２ファンの運転を継続させる。その後に外気温センサが検知する外気温が予め設定される第１閾値未満となった時には、ファン制御部は、所定時間経過後に第２ファンの運転を停止させる。
【００１８】
これにより、第１ファンが異常停止した場合にも、快適性に優れた換気を行うことが可能となる。
【００１９】
本発明の第８観点に係る換気装置は、第１観点から第７観点のいずれかに係る換気装置であって、加熱部と、加熱制御部と、外気温センサと、をさらに備える。加熱部は、給気ファンによって取り込まれる外気が通過する給気流路上に配設される。加熱部は、給気ファンによって取り込まれる外気を加熱できる。加熱制御部は、加熱部の運転を制御する。外気温センサは、給気ファンによって取り込まれる外気の温度である外気温を検知する。加熱制御部は、外気温センサが検出する外気温の値が、予め設定される所定の数値範囲外となった時には、加熱部による加熱を停止させる。ファン制御部は、外気温センサが検出する外気温の値が所定の数値範囲外となった時には、所定時間経過後に給気ファン及び排気ファンの運転を停止させる。
【００２０】
これにより、加熱部及び外気温センサを備える換気装置において、外気温センサが故障しても、安全性を確保できる。
【発明の効果】
【００２１】
本発明の第１観点に係る換気装置では、換気装置の信頼性が向上する。
【００２２】
本発明の第２観点に係る換気装置では、加熱部を備える換気装置の信頼性及び安全性が向上する。
【００２３】
本発明の第３観点に係る換気装置では、電熱ヒータを備える換気装置の信頼性及び安全性が向上する。
【００２４】
本発明の第４観点に係る換気装置では、第１ファンが異常停止した場合に、精度よく対象空間の換気を継続的に行うことが可能となる。
【００２５】
本発明の第５観点から第７観点に係る換気装置では、第１ファンが異常停止した場合にも、快適性に優れた換気を行うことが可能となる。
【００２６】
本発明の第８観点に係る換気装置では、加熱部及び外気温センサを備える換気装置において、外気温センサが故障した場合に、安全性を確保できる。
【図面の簡単な説明】
【００２７】
【図１】本発明の一実施形態に係る空調システムの全体構成図。
【図２】全熱交換換気モード選択時における換気ユニットの概略構成図。
【図３】普通換気モード選択時における換気ユニットの概略構成図。
【図４】運転停止時における換気ユニットの概略構成図。
【図５】給気ファンモータ（または排気ファンモータ）の概略構成と、該モータに接続されている機器のモータとの接続状態とを表した図。
【図６】全熱交換器の概略構成図。
【図７】加湿ユニットの概略構成図。
【図８】コントローラの概略構成と、コントローラに接続されている機器とを示す模式図。
【図９】安全制御部の概略構成を示す模式図。
【図１０】安全制御部の処理において参照されるテーブルの概念図。
【図１１】安全制御部の処理の流れを示すフローチャート。
【図１２】第１ファンが異常停止した場合における各部の状態の変化を示すタイミングチャート。
【図１３】第１ファンが異常停止した場合における各部の状態の変化を示すタイミングチャート。
【図１４】外気温センサが故障した場合における各部の状態の変化を示すタイミングチャート。
【発明を実施するための形態】
【００２８】
以下、図面を参照しながら、本発明の実施形態について説明する。なお、以下の実施形態は、本発明の具体例であって、本発明の技術的範囲を限定するものではなく、発明の要旨を逸脱しない範囲で適宜変更が可能である。
【００２９】
（１）概要
図１は、本発明の一実施形態に係る換気装置が実現された空調システム１の全体構成図である。空調システム１は、例えば家屋の天井裏や壁などに設置されて対象空間の換気を行うシステムである。本実施形態において空調システム１は、外壁ＷＯを介して室外空間ＳＯと隔てられた室内空間ＳＩの、天井部ＣＩの上方に配設されており、対象空間である室内空間ＳＩの換気を行っている。なお、本実施形態において室内空間ＳＩは、密閉性が高い空間であることを想定している。しかし、これに限定されず、室内空間ＳＩは、例えば室内空間ＳＩ内に形成された窓やドア（図示省略）を閉めることにより、高い密閉性を実現できる空間であってもよい。
【００３０】
空調システム１は、普通換気モード、全熱交換換気モード、加熱換気モード、加湿換気モードなどからなる複数の運転モードを有しており、当該運転モードに応じた換気を行えるように構成されている。
【００３１】
具体的に、ユーザによって普通換気モードが選択されると、空調システム１は、室内空間ＳＩの空気である内気ＲＡを排気ＥＡとして室外空間ＳＯに排出するとともに、室外空間ＳＯの空気である外気ＯＡを給気ＳＡとして室内空間ＳＩに給気することで、室内空間ＳＩの換気を行う。これを、普通換気と言う。また、ユーザによって全熱交換換気モードが選択されると、空調システム１は、内気ＲＡの全熱を回収しながら換気を行う。これを、全熱交換換気を行う。また、ユーザによって加熱換気モードが選択されると、空調システム１は、外気ＯＡを加熱して給気ＳＡとして室内空間ＳＩに取り入れる。これを、加熱換気と言う。また、ユーザによって加湿換気モードが選択されると、空調システム１は、給気ＳＡを加湿して室内空間ＳＩに取り入れる。これを、加湿換気と言う。なお、空調システム１では、各運転モードを、個別に選択することも、複数組み合わせて選択することも可能である。
【００３２】
（２）空調システム１の詳細構成
空調システム１は、主として、給気ダクト１ａ及び排気ダクト１ｂと、換気ユニット２と、加熱ユニット３（加熱部に相当）と、外気温センサ４と、加湿ユニット５と、コントローラ６と、操作パネル７と、から構成されている。
【００３３】
（２−１）給気ダクト１ａ、排気ダクト１ｂ
給気ダクト１ａは、縦断面が略矩形のアルミ製の管で構成されている。給気ダクト１ａの内部には、外気ＯＡが通過する給気流路ＦＰ１が形成されている。給気ダクト１ａは、主として、ダクト１ａ１、１ａ２、１ａ３及び１ａ４の、４つのダクトから構成されている。これらのダクト１ａ１〜４は、流入する外気ＯＡの上流から下流に向かって、ダクト１ａ１、１ａ２、１ａ３、１ａ４の順に配設されている。ダクト１ａ１の一端は外壁ＷＯに形成された通風孔ＶＨ１に接続され、他端は加熱ユニット３に接続されている。ダクト１ａ２の一端は加熱ユニット３に接続され、他端は換気ユニット２の導入口２０ａ（図２参照）に接続されている。ダクト１ａ３の一端は換気ユニット２の給気口２０ｂ（図２参照）に接続され、他端は加湿ユニット５の流入口５１（図７参照）に接続されている。ダクト１ａ４の一端は加湿ユニット５の流出口５２（図７参照）に接続され、他端は天井部ＣＩに形成された通風孔ＶＨ２に接続されている。
【００３４】
排気ダクト１ｂは、縦断面が略矩形のアルミ製の管で構成されている。排気ダクト１ｂの内部には、内気ＲＡが通過する排気流路ＦＰ２が形成されている。排気ダクト１ｂは、ダクト１ｂ１及び１ｂ２から構成されている。これらのダクト１ｂ１及び１ｂ２は、流入する内気ＲＡの上流から下流に向かって、ダクト１ｂ２、１ｂ１の順に配設されている。ダクト１ｂ１の一端は外壁ＷＯに形成された通風孔ＶＨ３に接続され、他端は換気ユニット２の排気口２０ｄ（図２参照）に接続されている。ダクト１ｂ２の一端は換気ユニット２の還気口２０ｃ（図２参照）に接続され、他端は天井部ＣＩに形成された通風孔ＶＨ４に接続されている。
【００３５】
（２−２）換気ユニット２
以下、図１から図４を参照して換気ユニット２について説明する。図２は、全熱交換換気モード選択時における換気ユニット２の概略構成図である。図３は、普通換気モード選択時における換気ユニット２の概略構成図である。図４は、運転停止時における換気ユニット２の概略構成図である。
【００３６】
換気ユニット２は、略直方体状を呈するケーシング２０によりその外郭が構成されている。ケーシング２０には、導入口２０ａと、給気口２０ｂと、還気口２０ｃと、排気口２０ｄと、が形成されている。
【００３７】
導入口２０ａは、外気ＯＡをケーシング２０内に導入するための開口である。導入口２０ａは、ジョイント２５ａを介して、ダクト１ａ２と接続されて連通している。給気口２０ｂは、外気ＯＡを給気ＳＡとして加湿ユニット５及び室内空間ＳＩ側に送るための開口である。給気口２０ｂは、ジョイント２５ｂを介して、ダクト１ａ３と接続されて連通している。還気口２０ｃは、室内空間ＳＩの内気ＲＡを室内空間ＳＩからケーシング２０内に取り込むための開口である。還気口２０ｃは、ジョイント２５ｃを介して、ダクト１ｂ２と接続されて連通している。排気口２０ｄは、内気ＲＡを室外空間ＳＯ側に排気ＥＡとして排出するための開口である。排気口２０ｄは、ジョイント２５ｄを介して、ダクト１ｂ１と接続されて連通している。
【００３８】
ジョイント２５ａには、第１外部ダンパ２６ａが設けられている。また、ジョイント２５ｄには、第２外部ダンパ２６ｂ（以下、第１外部ダンパ２６ａ及び第２外部ダンパ２６ｂを併せて外部ダンパ２６と記載）が設けられている。外部ダンパ２６は、空調システム１が運転状態にある時には開いており（図２及び図３参照）、空調システム１が運転停止状態にある時には閉じられる（図４参照）。これにより、空調システム１が運転停止状態にある時に、外気ＯＡが、給気流路ＦＰ１及び排気流路ＦＰ２を介して室内空間ＳＩに流入しないようになっている。
【００３９】
なお、第１外部ダンパ２６ａは、例えばステッピングモータなどからなる第１外部ダンパモータＭ２６ａと接続されており（図８参照）、第１外部ダンパモータＭ２６ａが駆動することによって、第１外部ダンパ２６ａの開閉が切り替えられるようになっている。同様に、第２外部ダンパ２６ｂは、例えばステッピングモータなどからなる第２外部ダンパモータＭ２６ｂと接続されており（図８参照）、第２外部ダンパモータＭ２６ｂが駆動することによって、第２外部ダンパ２６ｂの開閉が切り替えられるようになっている。
【００４０】
ケーシング２０の内部には、導入口２０ａと給気口２０ｂとを連通する給気流路２７と、還気口２０ｃと排気口２０ｄとを連通する第１排気流路２８ａ及び第２排気流路２８ｂ（以下、第１排気流路２８ａと第２排気流路２８ｂとを併せて排気流路２８と記載）のいずれか一方と、が形成されるようになっている。また、ケーシング２０の内部には、アルミ製の仕切板２９が配設されている。仕切板２９は給気流路２７と排気流路２８とを仕切っている。換気ユニット２では、このような仕切板２９が配設されているため、給気流路２７と、排気流路２８とは、連通していない。
【００４１】
ケーシング２０内には、主として、換気ユニット２の構成要素である給気ファン２１、排気ファン２２、全熱交換器２３及び流路切換ダンパ２４の他に、コントローラ６が配設されている。
【００４２】
（２−２−１）給気ファン２１、排気ファン２２
給気ファン２１は、室外空間ＳＯから給気流路ＦＰ１及び給気流路２７等を経由して室内空間ＳＩに向かう空気流を生成するファンである。即ち、給気ファン２１は、室外空間ＳＯからの外気ＯＡを、室内空間ＳＩ内に取り込む。給気ファン２１は、給気流路２７の下流端部近傍に位置している。給気ファン２１は、給気ファンモータＭ２１と接続されており、給気ファンモータＭ２１が駆動することにより、回転して運転状態となる。
【００４３】
排気ファン２２は、室内空間ＳＩから排気流路ＦＰ２及び排気流路２８等を経由して室外空間ＳＯに向かう空気流を生成するファンである。即ち、排気ファン２２は、室内空間ＳＩ内の内気ＲＡを室外空間ＳＯに排出する。排気ファン２２は、排気流路２８の下流端部近傍に位置している。排気ファン２２は、排気ファンモータＭ２２と接続されており、排気ファンモータＭ２２が駆動することにより、回転して運転状態となる。
【００４４】
ここで、図５を参照して、給気ファンモータＭ２１及び排気ファンモータＭ２２について説明する。図５は、給気ファンモータＭ２１（または排気ファンモータＭ２２）の概略構成と、該モータに接続されている機器のモータとの接続状態とを表した図である。
【００４５】
給気ファンモータＭ２１及び排気ファンモータＭ２２は、３相のブラシレスＤＣモータで構成されている。給気ファンモータＭ２１及び排気ファンモータＭ２２は、配線６ａを介して、インバータ２００及びコントローラ６と接続されており、インバータ２００及びコントローラ６によってその動作を制御されている。給気ファンモータＭ２１及び排気ファンモータＭ２２は、ステータＳｔとロータＲｔとを有している。
【００４６】
ステータＳｔは、スター結線されたＵ相、Ｖ相及びＷ相の駆動コイルＬｕ，Ｌｖ，Ｌｗを含む。各駆動コイルＬｕ，Ｌｖ，Ｌｗの一方端は、それぞれインバータ２００から延びるＵ相、Ｖ相及びＷ相の各配線の駆動コイル端子ＴＵ，ＴＶ，ＴＷに接続されている。各駆動コイルＬｕ，Ｌｖ，Ｌｗの他方端は、互いに端子ＴＮとして接続されている。
【００４７】
ステータＳｔには、３つのホール素子Ｈ１、Ｈ２、Ｈ３が、駆動コイルＬｕ，Ｌｖ，Ｌｗ付近にそれぞれ配置されている。これらのホール素子Ｈ１〜３は、ロータＲｔの回転によって起こる磁束の変化を電圧に変換し、検出信号としてロータ位置検出部２０１へ送っている。ロータ位置検出部２０１は、ホール素子Ｈ１〜３から送られる検出信号を受けてロータＲｔの位置を検出し、リアルタイムにロータＲｔの位置情報を生成してコントローラ６へ送信する。
【００４８】
ロータＲｔは、Ｎ極及びＳ極からなる複数極の永久磁石を含み、ステータＳｔに対し回転軸を中心として回転する。ロータＲｔの回転トルクは、この回転軸と同一軸心上にある出力軸（図示省略）を介して給気ファンモータＭ２１または排気ファンＭ２２に伝達されるようになっている。
【００４９】
なお、給気ファンモータＭ２１及び排気ファンモータＭ２２は、コントローラ６によって、その回転速度が段階的に切り替えられるようになっている。これにより、給気ファン２１及び排気ファン２２の設定風量を任意に調整できるようになっており、本実施形態においては、ユーザが強・中・弱からなる３段階の風量を切換られるように構成されている。
【００５０】
（２−２−２）全熱交換器２３
以下、図６を参照して、全熱交換器２３について説明する。図６は、全熱交換器２３の概略構成図である。
【００５１】
全熱交換器２３は、その内部において外気ＯＡと排気ＥＡとの全熱交換を行わせるものであり、空調システム１が全熱交換換気モードで運転する場合に利用される。全熱交換器２３は、図２に示すように、ケーシング２０内の中央部分近傍において、給気流路２７及び第１排気流路２８ａの流路上に位置している。全熱交換器２３は、主として、複数の全熱交換素子２３１と、複数の波板部材２３２と、から構成されている。
【００５２】
全熱交換素子２３１は、紙などの伝熱性及び透湿性を有する平板状の部材であり、上下方向に所定の間隔を空けて多数積層されている。波板部材２３２は、波板状の部材であり、全熱交換素子２３１の積層方向に全熱交換素子２３１と交互に配設されている。
【００５３】
波板部材２３２は、主として、第１波板部材２３３と、第２波板部材２３４と、から構成されている。第１波板部材２３３と第２波板部材２３４とは、全熱交換素子２３１を挟んで、全熱交換素子２３の積層方向（即ち、上下方向）に交互に配置されている。第１波板部材２３３は、その上下端において全熱交換素子２３１と接触しており、外気ＯＡが通過する第１空気流路２３３ａを形成している。また、第２波板部材２３４は、その上下端において全熱交換素子２３１と接触しており、内気ＲＡが通過する第２空気流路２３４ａを形成している。
【００５４】
このように形成される第１空気流路２３３ａと第２空気流路２３４ａとは、全熱交換器２３の内部において、互いに異なる層に位置しているものの、全熱交換素子２３１の延びる平面上にて互いに直交しているように見える。これにより、第１空気流路２３３ａを流れる外気ＯＡと、第２空気流路２３４ａを流れる内気ＲＡとは、互いに混ざり合うことなく全熱交換されるようになっている。なお、第１空気流路２３３ａは、給気流路２７の一部を構成しており、第２空気流路２３４ａは、第１排気流路２８ａの一部を構成している。
【００５５】
（２−２−３）流路切換ダンパ２４
図２〜４に示される流路切換ダンパ２４は、第１排気流路２８ａと、第２排気流路２８ｂと、を切り替えるための板状部材である。流路切換ダンパ２４は、全熱交換器２３と、還気口２０ｃと、の間に位置している。
【００５６】
流路切換ダンパ２４が開いた状態にある時（図２参照）には、第１排気流路２８ａが開通し、内気ＲＡが第１排気流路２８ａ及び第２空気流路２３４ａを通過するようになっている。一方、流路切換ダンパ２４が閉じた状態にある時（図３参照）には、第２排気流路２８ｂが開通し、内気ＲＡは、第２空気流路２３４ａを通過せずに、第２排気流路２８ｂを通過する。即ち、換気ユニット２は、流路切換ダンパ２４の開閉によって、全熱交換換気と普通換気とを切り替えることができるように構成されている。
【００５７】
具体的に、空調システム１において全熱交換換気モードが選択されている時には、流路切換ダンパ２４が開かれて全熱交換換気が行われるようになっている。また、普通換気モードが選択されている時には、流路切換ダンパ２４が閉じられて普通換気が行われるようになっている。なお、流路切換ダンパ２４は、例えばステッピングモータなどからなる流路切換ダンパモータＭ２４（図８参照）と接続されており、流路切換ダンパモータＭ２４が駆動することによって、流路切換ダンパ２４の開閉が切り替えられるようになっている。
【００５８】
（２−３）加熱ユニット３
加熱ユニット３は、冬季など低外気温時の換気運転において、低温の外気ＯＡが室内空間ＳＩ内に流入して室温が低下することを防ぐために、給気ファン２１によって給気流路ＦＰ１に取り込まれた外気ＯＡを加熱するためのものである。図１に示すように、本実施形態において加熱ユニット３は、通風孔ＶＨ１と換気ユニット２との間、つまりは給気経路ＦＰ１上に配設されている。具体的には、加熱ユニット３は、換気ユニット２よりも外壁ＷＯに近い位置において、ダクト１ａ１と１ａ２とで挟まれるように配設されている（図１参照）。
【００５９】
加熱ユニット３は、その本体に外気ＯＡを流入させる流入口と、外気ＯＡを流出させる流出口とが形成されている（図示省略）。流入口は、ダクト１ａ１と接続されて連通している。また、流出口は、ダクト１ａ２と接続されて連通している。このように、流入口及び流出口が、ダクト１ａ１及び１ａ２と接続されて給気流路ＦＰ１と連通していることにより、給気ファン２１を運転させると、外気ＯＡが流入口から加熱ユニット３の本体内部に流入し、流出口から流出するようになっている。
【００６０】
加熱ユニット３の本体内部には、取り込んだ外気ＯＡを加熱するヒータ３１が内蔵されている。ヒータ３１は、ニクロム線などの抵抗体に電流が供給されることによってジュール熱を発生させる一般的な電熱ヒータである。接続状態を図示してはいないが、ヒータ３１は、第１電源部３２（図８参照）と接続されて電流を供給されるようになっている。第１電源部３２は、コントローラ６と配線６ａを介して接続されており、コントローラ６から出力される指示に応じて、ヒータ３１への電流供給を行っている。なお、図示していないが、ヒータ３１では、抵抗体が腐食することを抑えるために、抵抗体が外気ＯＡからシールドされるように配設されている。
【００６１】
上述したような態様で加熱ユニット３が構成されていることにより、空調システム１では、取り込んだ外気ＯＡを加熱したうえで、換気ユニット２に送ることができるようになっている。つまり、加熱ユニット３は、その内部に電流が供給されることによって発生する熱と、取り込まれた外気ＯＡと、を熱交換させることにより、外気ＯＡを加熱する。それ故、換気ユニット２には、取り込まれた外気ＯＡが直接供給される場合に比して暖かい空気が供給されることとなり、室内空間ＳＩの温度はある程度保たれることとなる。
【００６２】
なお、本実施形態では、加熱ユニット３において、外気ＯＡを５℃程度加熱できるように設定されている。例えば、加熱ユニット３を駆動させた場合、給気ファン２１によってダクト１ａ１に流入される外気ＯＡの温度である外気温ＯＴが−１５℃であったときには、外気ＯＡが−１０℃の状態で換気ユニット２へ流入するように設定されている。ただし、加熱度は、当該数値に限定されることなく任意に変更可能である。加熱度は、設置環境に応じて、抵抗体を適宜選択したり供給される電流値を適宜変更したりすることによって、任意の値に設定されると良い。
【００６３】
（２−４）外気温センサ４
外気温センサ４は、ダクト１ａ１内に配設されている。外気温センサ４は、サーミスタなどで構成されており、外気温ＯＴを検出している。図８に示すように、外気温センサ４は、配線６ａを介してコントローラ６と接続されており、外気温ＯＴの情報をコントローラ６へ適宜送信している。
【００６４】
なお、外気温センサ４は、必ずしもダクト１ａ１内に配設されていなくても、例えば通風孔ＶＨ１に配設されてもよい。
【００６５】
（２−５）加湿ユニット５
図７は、加湿ユニット５の概略構成図である。加湿ユニット５は、ヒータを利用した蒸気加湿方式によって、換気ユニット２から室内空間ＳＩへ吹き出される給気ＳＡの加湿を行うものである。加湿ユニット５の外郭は、ケーシング本体５０によって構成されている。
【００６６】
ケーシング本体５０には、流入口５１が形成されており、流入口５１は、ジョイント５１ａを介してダクト１ａ３と接続されて連通している。これにより、ケーシング本体５０内部に、換気ユニット２の給気口２０ｂから吹き出される給気ＳＡが流入するようになっている。また、ケーシング本体５０には、流出口５２が形成されており、流出口５２は、ジョイント５２ａを介してダクト１ａ４と接続されて連通している。このように流入口５１がダクト１ａ３と接続され、流出口５２がダクト１ａ４と接続されていることにより、ケーシング本体５０の内部には、流入口５１から流出口５２へ向かう給気流路５０ａが形成されるようになっている。よって、ケーシング本体５０へ流入した給気ＳＡは、流出口５２及びダクト１ａ４を介して、室内空間ＳＩに吹き出される。
【００６７】
ケーシング本体５０の内部には、蒸気を発生させる加湿部５３が設けられている。加湿部５３は、主として、水を貯める水槽５４と、水槽５４に貯められた水を加熱して蒸気を発生させる加湿ヒータ５５と、から構成されている。水槽５４は、その上部に、給気流路５０ａと繋がる開口５４ａが形成されている。加湿ヒータ５５は、電流が供給されることによりジュール熱を発生させる一般的な電熱ヒータであって、水槽５４の内部に配設されている。接続状態については図示していないが、加湿ヒータ５５は、第２電源部５５ａ（図８参照）と接続されて電流の供給を受けている。
【００６８】
水槽５４には、給水配管５６が接続されており、給水配管５６から給水されることにより、水槽５４の内部には水が溜まるようになっている。給水配管５６には、電磁弁などによって構成された給水バルブ５７が設けられている。給水バルブ５７を開けることで水槽５４内部には給水がなされ、給水バルブ５７を閉じることで給水が停止される。また、水槽５４には、溜まった水を排水するための排水配管５８が接続されている。排水配管５８には、電磁弁などによって構成された排水バルブ５９が設けられている。排水バルブ５９を開けることで水槽５４内部の水が排水され、排水バルブ５９を閉じることで水槽５４内部には貯水がされる。なお、図８に示すように、加湿ヒータ５５、給水バルブ５７、及び排水バルブ５９は、コントローラ６と配線６ａを介して接続されている。
【００６９】
上述のように構成された加湿ユニット５において、排水バルブ５９を閉じ、給水バルブ５７を開けると、水槽５４内部は貯水される。そして、加湿ヒータ５５に電流が供給されると、水槽５４内部の水が加熱されて気化し、開口５４ａを介して給気流路５０ａへと蒸気が送られるようになっている。
【００７０】
なお、加湿ユニット５は、ヒータを利用した蒸気加湿方式によって給気ＳＡの加湿を行うものには限定されず、いかなる方式により加湿を行うものであってもよい。例えば、加湿ユニット５は、水蒸気を透過する膜を用いるいわゆる透湿膜方式によって加湿を行うものであってもよい。その他、加湿ユニット５は、超音波振動子を利用するいわゆる超音波振動加湿方式や、回転円盤の遠心力を利用するいわゆる遠心方式によって給気ＳＡの加湿を行うものであってもよい。
【００７１】
（２−６）コントローラ６
以下、図１から図８を参照してコントローラ６について説明する。図８は、コントローラ６の概略構成と、コントローラ６に接続されている機器とを示す模式図である。
【００７２】
コントローラ６は、ＣＰＵやメモリ等から構成されるマイクロコンピュータであり、換気ユニット２のケーシング２０内に設けられている。コントローラ６は、配線６ａ及びインターフェース６ｂを介して、インバータ２００、ロータ位置検出部２０１、流路切換ダンパモータＭ２４、第１外部ダンパモータＭ２６ａ、第２外部ダンパモータＭ２６ｂ、第１電源部３２、外気温センサ４、第２電源部５５ａ、給水バルブ５７、排水バルブ５９及び操作パネル７と接続されており、これらの機器と信号の送受信を行っている。
【００７３】
なお、コントローラ６の詳細については、「（３）コントローラ６の詳細」において説明する。
【００７４】
（２−７）操作パネル７
操作パネル７は、ユーザが空調システム１の運転開始、運転停止、運転モードや設定風量の選択をする際に入力手段として用いられるリモコンであり、室内空間ＳＩに設置されている。操作パネル７には、空調システム１の運転状態（具体的には、電源ＯＮ及びＯＦＦ、運転モード、設定風量を含む）、給気ファン２１及び排気ファン２２の異常停止、外気温センサ４の故障などをユーザに表示する液晶表示部が設けられている。
【００７５】
（３）コントローラ６の詳細
上述したコントローラ６は、空調システム１の各運転モードに応じて、空調システム１における各部の動作を制御するように構成されている。コントローラ６は、主として、記憶部６１と、換気制御部６２と、加熱制御部６３と、加湿制御部６４と、安全制御部６５と、から構成されている。特に、以下に説明するように、換気制御部６２及び安全制御部６５は、給気ファン２１及び排気ファン２２の運転の制御を行う機能部であるため、“ファン制御部”と言うことができる。加熱制御部６３及び安全制御部６５は、加熱ユニット３の運転の制御を行う機能部であるため、加熱制御部６３及び安全制御部６５は共に“加熱制御部”と言うことができる。
【００７６】
（３−１）記憶部６１
記憶部６１は、空調システム１の各運転モードに対応する制御プログラムを保持している。ユーザが操作パネル７を介して一の運転モードを選択すると、当該選択した運転モードに応じた信号が、操作パネル７からコントローラ６に送信される。これをうけて記憶部６１からは、受信した信号に対応する制御プログラムが選択される。選択された制御プログラムは、換気制御部６２、加熱制御部６３、加湿制御部６４、及び安全制御部６５に出力される。
【００７７】
（３−２）換気制御部６２、加熱制御部６３、加湿制御部６４
換気制御部６２、加熱制御部６３及び加湿制御部６４は、記憶部６１から出力される制御プログラムを実行して、空調システム１における各部の動作を制御する。
【００７８】
例えば、ユーザによって普通換気モードによる運転指示が入力された場合には、換気制御部６２は、普通換気モードで運転状態にあることをユーザに示す情報を生成して、操作パネル７へと送信する。これと同時に、換気制御部６２は、第１外部ダンパ２６ａ及び第２外部ダンパ２６ｂを開けるべく、第１外部ダンパモータＭ２６ａ及び第２外部ダンパモータＭ２６ｂにパルス信号を出力する。流路切換ダンパ２４が開いている場合には、流路切換ダンパ２４を閉じて第２排気流路２８ｂを開通させるべく、流路切換ダンパモータＭ２４にパルス信号を出力する。その後、換気制御部６２は、給気ファン２１及び排気ファン２２を運転させるべく、インバータ２００へ信号を送信する。
【００７９】
ユーザによって全熱交換換気モードによる運転指示が入力された場合には、換気制御部６２は、以下の処理を除いて、普通換気モードによる運転指示が入力された場合と同様の処理を行う。即ち、換気制御部６２は、普通換気モードで運転状態にあることをユーザに示す情報を生成して、操作パネル７へと送信する。また、換気制御部６２は、流路切換ダンパ２４が閉じている場合には、流路切換ダンパ２４を開けて第１排気流路２８ａを開通させるべく、流路切換ダンパモータＭ２４にパルス信号を出力する。
【００８０】
ユーザによって加熱換気モードによる運転指示が入力された場合には、加熱制御部６３は、加熱換気モードで運転状態にあることをユーザに示す情報を生成して、操作パネル７へと送信する。これと同時に、加熱制御部６３は、ヒータ３１に電流を供給させるべく、第１電源部３２へ信号を送信する。
【００８１】
ユーザによって加湿換気モードによる運転指示が入力された場合には、加湿制御部６４は、加湿換気モードで運転状態にあることをユーザに示す情報を生成して、操作パネル７へと送信する。これと同時に、加湿制御部６４は、排水バルブ５９を閉じるべく排水バルブ５９へ電流を供給するとともに、給水バルブ５７を開けるべく給水バルブ５７へ電流を供給する。加湿制御部６４は、加湿ヒータ５５に電流を供給させるべく、第２電源部５５ａへ信号を送信する。
【００８２】
また、ユーザによって、空調システム１の運転停止指示が入力された場合には、換気制御部６２が、空調システム１が運転停止状態にあることをユーザに示す情報を生成して、操作パネル７へと送信する。そして、換気制御部６２は、排気ファン２２の運転を停止させるべく、排気ファンモータＭ２２への電流供給を停止させるための信号をインバータ２００に送信する（以下、当該処理を排気停止処理という）。これと同時に、加熱制御部６３は、加熱ユニット３による加熱を停止すべく、第１電源部３２に信号を送信して電流供給を停止させる（以下、当該処理を加熱停止処理という）。そして、加湿制御部６４は、加湿ヒータ５５への電流供給を停止させるべく、第２電源部５５ａに信号を送信する。更に、加湿制御部６４は、給水バルブ５７を閉じるべく給水バルブ５７への電流の供給を指示し、排水バルブ５９を開けるべく排水バルブ５９への電流の供給を指示する（以下、当該処理を加湿停止処理という）。そして、換気制御部６２は、給気ファン２１の運転を停止させるべく、給気ファンモータＭ２１への電流供給を停止させるための信号をインバータ２００に送信する（以下、当該処理を給気停止処理という）。
【００８３】
なお、給気停止処理は、排気停止処理、加熱停止処理、及び加湿停止処理が実行された後、所定時間の経過を待って実行される。このように、本実施形態では、運転停止指示が入力されても直ちに給気ファン２１の運転が停止されず、所定時間の経過を待って給気ファン２１の運転が停止されるようになっている。これは、加熱ユニット３の駆動を停止しても、余熱によって加熱ユニット３及び給気ダクト１ａ内の温度上昇が一定時間継続するため、給気ファン２１の運転を所定時間継続させてダクト１ａに外気ＯＡを取り込み、取り込んだ外気ＯＡで加熱ユニット３及び給気ダクト１ａを冷却するためである。
【００８４】
なお、本実施形態では、上述の所定時間は、３分に設定されることを想定している。しかし、所定時間の数値は、３分には限定されず、ヒータの種類や設置環境に応じて、適宜変更することが可能である。
【００８５】
以上の処理の後、即ち給気ファン２１の運転を停止した後に、外部ダンパ２６を閉じるべく、換気制御部６２は、第１外部ダンパモータＭ２６ａ及び第２外部ダンパモータＭ２６ｂにパルス信号を送信する（以下、当該処理を外部ダンパ閉処理という）。これにより、空調システム１が運転停止状態にある場合に、内気ＲＡが室外空間ＳＯに流出すること、及び外気ＯＡが室内空間ＳＩに流入することが抑制される。
【００８６】
（３−３）安全制御部６５
以下、図１から図１２を参照して安全制御部６５について説明する。図９は、安全制御部６５の概略構成を示す模式図である。図１０は、安全制御部６５の処理において参照されるテーブルの概念図である。
【００８７】
安全制御部６５は、記憶部６１から出力される安全制御プログラムをうけて、制御を実行している。なお、本実施形態では、ユーザによって空調システム１の運転開始指示があった場合には、いずれの運転モードが選択されても、記憶部６１から安全制御部６５に安全制御プログラムが出力されるようになっている。
【００８８】
安全制御部６５は、主として、取得部６５１と、判定部６５２と、駆動信号生成部６５３と、から構成されている。
【００８９】
（３−３−１）取得部６５１
取得部６５１は、まず、記憶部６１から出力される安全制御プログラムを取得する。そして、取得部６５１は、当該安全制御プログラムに沿って、ロータ位置検出部２０１からロータＲｔの位置情報を取得する。また、取得部６５１は、外気温センサ４から外気温ＯＴを取得する。そして、取得部６５１は、取得したこれらの情報を判定部６５２へ出力する。
【００９０】
（３−３−２）判定部６５２
判定部６５２は、給気ファン２１及び排気ファン２２のうちいずれか一方のファンである第１ファンが異常停止したか否かを判定する。具体的に、判定部６５２は、取得部６５１から出力されたロータＲｔの位置情報においてロータＲｔの位置が変動していない場合には、第１ファンが異常停止している、と判定する。より詳細には、判定部６５２は、給気ファンモータＭ２１のロータＲｔの位置が変動していない場合には、第１ファンとしての給気ファン２１が異常停止している、と判定する。また、判定部６５２は、排気ファンモータＭ２２のロータＲｔの位置が変動していない場合には、第１ファンとしての排気ファン２２が異常停止している、と判定する。
【００９１】
ここで、第１ファンの異常停止を判定する判定部６５２および当該判定に必要な情報を取得する取得部６５１を備える安全制御部６５は、第１ファンの異常停止を検知する“異常停止検知部”と言うことができる。
【００９２】
なお、第１ファンの異常停止とは、次に挙げるような状態などが該当する。例えば、給気ファンモータＭ２１または排気ファンモータＭ２２に電流が供給されている状態にも関わらず、第１ファンが本来想定される回転駆動をしていない状態は、異常停止に該当する。また、例えば、故障や不具合によりインバータ２００がその機能を十分に発揮できず、第１ファンが本来想定される回転駆動をしていない状態も、異常停止に該当する。
【００９３】
また、判定部６５２は、外気温ＯＴが所定の数値範囲である基準値ＳＶの範囲を越えている場合には、外気温センサ４が故障していると判定する。なお、本実施形態において、基準値ＳＶは、例えば−１００℃〜６０℃に設定される。
【００９４】
また、これとは別に、判定部６５２は、外気温ＯＴが、予め設定された第１閾値ΔＴ１未満か否か、また第２閾値ΔＴ２以上か否か、を判定する。なお、本実施形態において、第１閾値ΔＴ１および第２閾値ΔＴ２は、ともに０℃に設定されている。即ち、本実施形態では、第１閾値ΔＴ１および第２閾値ΔＴ２は、基準値ＳＶの範囲内で設定されているといえる。
【００９５】
以上の判定部６５２による判定結果は、駆動信号生成部６５３へと出力される。
【００９６】
（３−３−３）駆動信号生成部６５３
駆動信号生成部６５３は、判定部６５２から出力される判定結果を受けて、各部の動作を制御する駆動信号を生成している。具体的には、駆動信号生成部６５３は、図１０に示すテーブルｔｂ１を保持しており、当該テーブルｔｂ１に基づいて、給気ファン２１、排気ファン２２、加熱ユニット３、及び加湿ユニット５の駆動信号を生成している。
【００９７】
以下、図１０を参照して、駆動信号生成部６５３の具体的な処理について、給気ファン２１が異常停止した場合、排気ファン２２が異常停止した場合、及び外気温センサ４が故障した場合に分けて説明する。
【００９８】
（３−３−３−１）給気ファン２１が異常停止した場合
駆動信号生成部６５３は、給気ファン２１が異常停止しているとの判定結果を受けた場合（即ち、テーブルｔｂ１のｃｌ１およびｃｌ２に該当する場合）には、給気ファン異常停止表示信号を生成して、操作パネル７へ送信する。給気ファン異常停止表示信号とは、給気ファン２１が異常停止していることをユーザに表示させる信号である。そして、駆動信号生成部６５３は、加熱ユニット３の駆動を直ちに停止させるべく、加熱停止処理を実行させる信号（以下、加熱停止制御信号と記載）を生成して、加熱制御部６３へ出力する。また、これとともに、駆動信号生成部６５３は、加湿ユニット５による加湿を直ちに停止するべく、加湿停止処理を実行させる信号（以下、加湿停止制御信号と記載）を生成して、加湿制御部６４へ出力する。
【００９９】
このように、給気ファン２１が異常停止しているとの判定結果を受けた場合に加熱ユニット３および加湿ユニット５の駆動を直ちに停止させるのは、次の理由による。即ち、給気ファン２１が運転停止状態となることによって給気ダクト１ａ内に流入する外気ＯＡの流量が低下する。当該状態で加熱ユニット３による加熱を継続すると、加熱ユニット３及び給気ダクト１ａ内の温度が上昇を続けて、保安上好ましくない状態となることが想定される。このような事態を避けるべく、加熱ユニット３の駆動を直ちに停止させる。また、給気ファン２１が運転停止状態となることによって加湿ユニット５に流入する給気ＳＡの流量が低下する。当該状態で加湿ユニット５の駆動を継続すると、加湿ユニット５内における蒸気の圧力が高まるとともに温度が上昇し、保安上好ましくない状態となることが想定される。このような事態を避けるべく、加湿ユニット５の駆動を直ちに停止させる。
【０１００】
その後、外気温ＯＴが第２閾値ΔＴ２（本実施形態では０℃）以上であるとの判定結果を受けた時（即ち、テーブルｔｂ１のｃｌ１に該当する時）には、駆動信号生成部６５３は、給気ファン２１および排気ファン２２から第１ファンを除く残りのファンである第２ファンの運転を継続させる。すなわち、駆動信号生成部６５３は、第２ファンである排気ファン２２の運転を継続させるべく、排気ファンモータＭ２２への電流供給を継続させる信号（以下、排気継続制御信号と記載）を生成して、換気制御部６２へ出力する。
【０１０１】
このように、排気ファンモータＭ２２の駆動を継続させるのは、排気ファン２２の運転を継続させることで、室内空間ＳＩの排気を継続して室内空間ＳＩを負圧にし、室内空間ＳＩへ外気を流入させるためである。即ち、室内空間ＳＩは、密閉性の高い空間であるため、給気ファン２１が運転を停止している状態であっても、排気ファン２２の運転が継続されることにより負圧状態となる。そして、負圧状態となった室内空間ＳＩには、外気ＯＡが給気ダクト１ａを介して流入する。これにより、室内空間ＳＩの換気が継続される。
【０１０２】
また、排気ファンモータＭ２２の駆動を継続させるのは、ダクト１ａ内に外気ＯＡを流入させることで、加熱ユニット３停止後の余熱による給気ダクト１ａ及び加熱ユニット３の温度上昇を抑制するためでもある。即ち、上述した加熱ユニット３は、冬季など低外気温時の換気運転において、低温の外気ＯＡが室内空間ＳＩに流入することで室内空間ＳＩ内の温度が低下することを防ぐべく、給気流路ＦＰ１に取り込んだ外気ＯＡを加熱することを目的として、空調システム１に備えられていることが一般的である。しかしながら、給気ファン２１が異常停止した場合には、給気流路ＦＰ１における空気の流れが停滞するために、加熱ユニット３による加熱を緊急停止したとしても、加熱ユニット３及び給気流路ＦＰ１内の温度が上昇を続け、保安上好ましくない状態となることが懸念される。そこで、上述のように、排気ファン２２の運転を継続させると、室内空間ＳＩは負圧状態となって、外気ＯＡが給気ダクト１ａを介して室内空間ＳＩ内へ流入する。そして、当該流入する外気ＯＡが、給気流路ＦＰ１内を通過する際、給気ダクト１ａ及び加熱ユニット３を冷却する。これにより、給気ファン２１が異常停止しても、給気ダクト１ａ及び加熱ユニット３の著しい温度上昇が抑制されるようになっている。
【０１０３】
一方、外気温ＯＴが第１閾値ΔＴ１未満であるとの判定結果を受けた時（即ち、テーブルｔｂ１のｃｌ２に該当する時）には、駆動信号生成部６５３は、遅延排気停止制御信号を生成して、換気制御部６２へと出力する。ここで、遅延排気停止制御信号とは、外気温ＯＴが第１閾値ΔＴ１未満であると判定されてから所定時間が経過するまでは第２ファンである排気ファン２２の運転を継続させ、当該所定時間の経過後に排気停止処理及び外部ダンパ閉処理を実行させる信号である。なお、本実施形態では当該所定時間は、９分に設定される。
【０１０４】
このように、外気温ＯＴが第１閾値ΔＴ１未満であると判定されてから所定時間（９分）の経過後に、排気ファン２２の運転を停止させ外部ダンパ２６を閉じるのは、次の理由による。即ち、加熱ユニット３停止後の余熱による給気ダクト１ａ及び加熱ユニット３の温度上昇が収まった後において、第１閾値ΔＴ１（本実施形態では０℃）未満の外気ＯＡを室内空間ＳＩに流入させ続けることにより室内空間ＳＩの温度が低下することを、抑制するためである。
【０１０５】
同様の趣旨から、駆動信号生成部６５３は、排気継続制御信号を換気制御部６２へ出力した後に、外気温ＯＴが第１閾値ΔＴ１未満であるとの判定結果を受けた時（即ち、テーブルｔｂ１のｃｌ２に該当する時）にも、同様に、遅延排気停止制御信号を生成して、換気制御部６２へと出力する（図１１参照）。
【０１０６】
また、以上の処理の完了後に、外気温ＯＴが第２閾値ΔＴ２以上である、との判定結果を受けた時（即ち、テーブルｔｂ１のｃｌ１に該当する時）には、駆動信号生成部６５３は、排気ファン２２の運転を再開させるべく、排気ファンモータＭ２２への電流供給を再開させる信号（以下、排気再開制御信号と記載）を生成して、換気制御部６２へ出力する。これにより、室外空間ＳＯの温度環境に応じた換気を行うことが可能となる。
【０１０７】
（３−３−３−２）排気ファン２２が異常停止した場合
駆動信号生成部６５３は、排気ファン２２が異常停止しているとの判定結果を受けた場合（即ち、テーブルｔｂ１のｃｌ３およびｃｌ４に該当する場合）には、排気ファン異常停止表示信号を生成して、操作パネル７へ送信する。排気ファン異常停止表示信号とは、排気ファン２２が異常停止していることをユーザに表示させる信号である。そして、駆動信号生成部６５３は、加熱ユニット３の駆動を直ちに停止させるべく、加熱停止制御信号を生成して、加熱制御部６３へ出力する。また、これとともに、駆動信号生成部６５３は、加湿ユニット５による加湿を直ちに停止するべく、加湿停止制御信号を生成して、加湿制御部６４へ出力する。
【０１０８】
次に、外気温ＯＴが第２閾値ΔＴ２以上である、との判定結果を受けた時（即ち、テーブルｔｂ１のｃｌ３に該当する時）には、駆動信号生成部６５３は、給気ファン２１および排気ファン２２から第１ファンを除く残りのファンである第２ファンの運転を継続させる。すなわち、駆動信号生成部６５３は、第２ファンである給気ファン２１の運転を継続させるべく、給気ファンモータＭ２１への電流供給を継続させる信号（以下、給気継続制御信号と記載）を生成して、換気制御部６２へ出力する。
【０１０９】
このように、給気ファンモータＭ２１の駆動を継続させるのは、給気ファン２１の運転を継続させることで、室内空間ＳＩの給気を継続して室内空間ＳＩを正圧にし、排気ダクト１ｂを介して室外空間ＳＯへ外気を流出させるためである。即ち、室内空間ＳＩは、密閉性の高い空間であるため、給気ファン２１の運転を継続させると、正圧状態となって、内気ＲＡが、排気ダクト１ｂなどを介して室外空間ＳＯへ流出することになる。これにより、排気ファン２２が異常停止しても、室内空間ＳＩの換気が継続されるようになっている。
【０１１０】
一方、外気温ＯＴが第１閾値ΔＴ１未満であるとの判定結果を受けた時（即ち、テーブルｔｂ１のｃｌ４に該当する時）には、駆動信号生成部６５３は、遅延給気停止制御信号を生成して、換気制御部６２へと出力する。ここで、遅延給気停止制御信号とは、外気温ＯＴが第１閾値ΔＴ１未満であると判定されてから所定時間である９分が経過するまでは第２ファンである給気ファン２１の運転を継続させ、当該所定時間（９分）の経過後に給気停止処理及び外部ダンパ閉処理を実行させる信号である。このように、外気温ＯＴが第１閾値ΔＴ１未満であると判定されてから所定時間（９分）の経過後に、給気ファン２１の運転を停止させまた外部ダンパ２６を閉めるのは、次の理由による。即ち、加熱ユニット３停止後の余熱による給気ダクト１ａ及び加熱ユニット３の温度上昇が収まった後において、第１閾値ΔＴ１未満の外気ＯＡを室内空間ＳＩに流入させ続けることにより室内空間ＳＩの温度が低下することを、抑制するためである。
【０１１１】
同様の趣旨から、駆動信号生成部６５３は、給気継続制御信号を換気制御部６２へ出力した後に、外気温ＯＴが第１閾値ΔＴ１未満であるとの判定結果を受けた時（即ち、テーブルｔｂ１のｃｌ４に該当する時）にも、同様に、遅延給気停止制御信号を生成して、換気制御部６２へと出力する。
【０１１２】
また、以上の処理の完了後に、外気温ＯＴが第２閾値ΔＴ２以上であるとの判定結果を受けた時（即ち、テーブルｔｂ１のｃｌ３に該当する時）には、駆動信号生成部６５３は、給気ファン２１の運転を再開させるべく、給気ファンモータＭ２１への電流供給を再開させる信号（以下、給気再開制御信号と記載）を生成して、換気制御部６２へ出力する。これにより、室外空間ＳＯの温度環境に応じた換気を行うことが可能となる。
【０１１３】
（３−３−３−３）外気温センサ４が故障した場合
外気温センサ４が故障しているとの判定結果を受けた場合（即ち、テーブルｔｂ１のｃｌ５に該当する時）には、駆動信号生成部６５３は、外気温センサ故障表示信号を生成して、操作パネル７へ送信する。外気温センサ故障表示信号とは、外気温センサ４が故障していることをユーザに表示させる信号である。そして、駆動信号生成部６５３は、外気温ＯＴの高低に関わらず、加熱ユニット３による加熱を直ちに停止させるべく、加熱停止制御信号を生成して、加熱制御部６３へ出力する。また、これとともに、駆動信号生成部６５３は、加湿ユニット５による加湿を直ちに停止するべく、加湿停止制御信号を生成して、加湿制御部６４へ出力する。
【０１１４】
そして、駆動信号生成部６５３は、遅延換気停止制御信号を生成して、換気制御部６２へと出力する。ここで、遅延換気停止制御信号とは、外気温センサ４が故障していると判定されてから所定時間である９分が経過するまでは給気ファン２１および排気ファン２２の運転を継続させ、当該所定時間（９分）の経過後に給気停止処理、排気停止処理及び外部ダンパ閉処理を実行させる信号である。
【０１１５】
以上のような制御を行うことにより、本実施形態においては、外気温センサ４が故障しても、空調システム１を安全に停止することができるようになっている。
【０１１６】
（４）安全制御部６５の処理の流れ
以下、図１１を参照して、安全制御部６５の処理の流れの一例について説明する。図１１は、安全制御部６５の処理の流れを示すフローチャートである。なお、以下は処理の一例であって、安全制御部６５は、これと異なる流れの処理を実行してもよい。
【０１１７】
本実施形態において、安全制御部６５は、空調システム１の運転が開始されると、図１１に示すような流れの処理を行う。
【０１１８】
即ち、空調システム１が運転を開始し、取得部６５１が記憶部６１から出力された安全制御プログラムを取得すると、まずステップＳ１０１において、取得部６５１がロータ位置検出部２０１から給気ファンモータＭ２１および排気ファンモータＭ２２のロータＲｔの位置情報を取得し、これを判定部６５２へと出力する。判定部６５２は、これを受けて、給気ファン２１（または排気ファン２２）が異常停止しているか否かを判定する。この判定がＮＯの場合（即ち、給気ファン２１（または排気ファン２２）が異常停止していない場合）には、ステップＳ１０２へと進む。
【０１１９】
ステップＳ１０２においては、取得部６５１が外気温センサ４から外気温ＯＴの情報を取得して、判定部６５２へ出力し、ステップＳ１０３に進む。
【０１２０】
ステップＳ１０３においては、判定部６５２が、外気温ＯＴが基準値ＳＶの範囲外か否かを判定する。この判定がＮＯの場合（即ち、外気温ＯＴが基準値ＳＶの範囲内である場合）には、ステップＳ１０１へと戻る。一方、この判定がＹＥＳの場合（即ち外気温ＯＴが基準値ＳＶの範囲外である場合）には、判定部６５２は、外気温センサ４が故障していると判定し、当該判定結果を駆動信号生成部６５３へ出力する。そして、ステップＳ１０４へ進む。
【０１２１】
ステップＳ１０４においては、駆動信号生成部６５３が、外気温センサ故障表示信号を生成して、操作パネル７へ送信する。そして、駆動信号生成部６５３は、加熱停止制御信号を生成して加熱制御部６３へ出力する。また、これとともに、駆動信号生成部６５３は、加湿停止制御信号を生成して加湿制御部６４へ出力する。また、駆動信号生成部６５３は、遅延換気停止制御信号を生成して換気制御部６２へと出力する。そして、ステップＳ１０５へ進む。
【０１２２】
ステップＳ１０５では、換気制御部６２が、遅延換気停止制御信号を受けて、外気温センサ４が故障していると判定されてから９分が経過したか否か、を判定する。この判定がＮＯの場合（即ち、まだ９分が経過していない場合）には、ステップＳ１０５においてこの判定が継続される。一方、この判定がＹＥＳの場合（即ち、９分が経過した場合）には、ステップＳ１０６へ進む。
【０１２３】
ステップＳ１０６では、換気制御部６２が、排気停止処理、給気停止処理、及び外部ダンパ閉処理を実行する。そして、当該処理の完了後、換気制御部６２は、空調システム１が緊急停止したことをユーザに示す情報を生成して、操作パネル７へ送信する。
【０１２４】
一方、ステップＳ１０１において判定がＹＥＳの場合（即ち、給気ファン２１（または排気ファン２２）が異常停止している場合）には、判定部６５２は、当該判定結果を駆動信号生成部６５３へ出力する。そして、ステップＳ１０７へ進む。
【０１２５】
ステップＳ１０７においては、駆動信号生成部６５３は、給気ファン異常停止表示信号（または排気ファン異常停止表示信号）を生成して、操作パネル７へ送信する。そして、駆動信号生成部６５３は、加熱停止制御信号を生成して加熱制御部６３へ出力する。また、これとともに、加湿停止制御信号を生成して加湿制御部６４へ出力する。そして、ステップＳ１０８へ進む。
【０１２６】
ステップＳ１０８においては、取得部６５１が外気温センサ４から外気温ＯＴの情報を取得して、判定部６５２へ出力し、ステップＳ１０９に進む。
【０１２７】
ステップＳ１０９においては、判定部６５２が、外気温ＯＴが基準値ＳＶの範囲内か否かを判定する。この判定がＮＯの場合（即ち、外気温ＯＴが基準値ＳＶの範囲外である場合）には、判定部６５２は、外気温センサ４が故障していると判定し、当該判定結果を駆動信号生成部６５３へ出力する。そして、ステップＳ１０５へ戻る。一方、この判定がＹＥＳの場合（即ち外気温ＯＴが基準値ＳＶの範囲内である場合）には、ステップＳ１１０へ進む。
【０１２８】
ステップＳ１１０においては、判定部６５２が、外気温ＯＴが第２閾値ΔＴ２未満か否かを判定して、当該判定結果を駆動信号生成部６５３へ出力する。当該判定がＮＯの場合（即ち、外気温ＯＴが第２閾値ΔＴ２以上の場合）には、駆動信号生成部６５３は、排気ファン２２（または給気ファン２１）の運転を継続させるべく、排気継続制御信号（または給気継続制御信号）を生成して、換気制御部６２へ出力する。そして、ステップＳ１０８へ戻る。一方、当該判定がＹＥＳの場合（即ち、外気温ＯＴが第２閾値ΔＴ２未満の場合）には、ステップＳ１１１へ進む。
【０１２９】
ステップＳ１１１においては、判定部６５２が、外気温ＯＴが第１閾値ΔＴ１未満か否かを判定して、当該判定結果を駆動信号生成部６５３へ出力する。当該判定がＮＯの場合（即ち、外気温ＯＴが第１閾値ΔＴ１以上の場合）には、ステップＳ１０８へ戻る。一方、当該判定がＹＥＳの場合（即ち、外気温ＯＴが第１閾値ΔＴ１未満の場合）には、ステップＳ１１２へ進む。
【０１３０】
ステップＳ１１２においては、駆動信号生成部６５３が、遅延排気停止制御信号（または遅延給気停止制御信号）を生成して換気制御部６２へと出力する。そして、換気制御部６２が、これを受けて、外気温ＯＴが第１閾値ΔＴ１未満であると判定されてから９分が経過したか否か、を判定する。この判定がＮＯの場合（即ち、まだ９分が経過していない場合）には、ステップＳ１１２においてこの判定が継続される。一方、この判定がＹＥＳの場合（即ち、９分が経過した場合）には、ステップＳ１１３へ進む。
【０１３１】
ステップＳ１１３では、駆動信号生成部６５３が、排気停止処理（または給気停止処理）及び外部ダンパ閉処理を実行させる信号を生成して、換気制御部６２へ出力する。そして、ステップＳ１１４へ進む。
【０１３２】
ステップＳ１１４においては、取得部６５１が外気温センサ４から外気温ＯＴの情報を取得して、判定部６５２へ出力し、ステップＳ１１５に進む。
【０１３３】
ステップＳ１１５においては、判定部６５２が、外気温ＯＴが基準値ＳＶの範囲内か否かを判定する。この判定がＮＯの場合（即ち、外気温ＯＴが基準値ＳＶの範囲外である場合）には、判定部６５２は、外気温センサ４が故障していると判定し、当該判定結果を駆動信号生成部６５３へ出力する。そして、ステップＳ１０５へ戻る。一方、この判定がＹＥＳの場合（即ち外気温ＯＴが基準値ＳＶの範囲内である場合）には、ステップＳ１１６へ進む。
【０１３４】
ステップＳ１１６においては、判定部６５２が、外気温ＯＴが第２閾値ΔＴ２以上か否かを判定して、当該判定結果を駆動信号生成部６５３へ出力する。当該判定がＮＯの場合（即ち、外気温ＯＴが第２閾値ΔＴ２未満の場合）には、ステップＳ１１４へ戻る。一方、当該判定がＹＥＳの場合（即ち、外気温ＯＴが第２閾値ΔＴ２以上の場合）には、ステップＳ１１７へ進む。
【０１３５】
ステップＳ１１７においては、駆動信号生成部６５３は、排気ファン２２（または給気ファン２１）の運転を再開させるべく、排気再開制御信号（または給気再開制御信号）を生成して、換気制御部６２へ出力する。これを受けて、換気制御部６２は、排気ファン２２（または給気ファン２１）の運転を再開させる。そして、ステップＳ１１４へ戻る。
【０１３６】
（５）空調システム１の各部の動作状態について
ここで、空調システム１の各部の動作状態について、第１ファンが異常停止した場合と、外気温センサ４が故障した場合と、に分けて説明する。
【０１３７】
（５−１）第１ファンが異常停止した場合
図１２および図１３は、第１ファンが異常停止した場合における各部の状態の変化を示すタイミングチャートである。
【０１３８】
まず図１２を参照して説明する。図１２では、空調システム１が、全熱交換換気モード、加熱換気モード、および加湿換気モードで運転している状態（即ち、給気ファン２１、加熱ユニット３、加湿ユニット５、および排気ファン２２は駆動しており、また、外部ダンパ２６は開いている状態）において第１ファンが異常停止した場合を示している。当該運転状態において、第１ファンとしての給気ファン２１（または排気ファン２２）が異常停止状態となった場合には、加熱ユニット３および加湿ユニット５は直ちに駆動停止状態となる。そして、当該場合において、外気温ＯＴが第２閾値ΔＴ２以上の時には、第２ファンとしての排気ファン２２（または給気ファン２１）は駆動を継続している状態である。
【０１３９】
その後、外気温ＯＴが第１閾値ΔＴ１未満となった時には、第２ファンとしての排気ファン２２（または給気ファン２１）は、外気温ＯＴが第１閾値ΔＴ１未満であると判定されてから所定時間（本実施形態では９分）経過後に、駆動停止状態となる。また、排気ファン２２（または給気ファン２１）が駆動停止状態となるとともに、外部ダンパ２６は閉じられた状態となる。
【０１４０】
更にその後、外気温ＯＴが第２閾値ΔＴ２以上となった時には、外部ダンパ２６は開かれた状態となり、第２ファンとしての排気ファン２２（または給気ファン２１）は駆動状態となる。
【０１４１】
次に図１３を参照して説明する。図１３では、図１２と同様に空調システム１が、全熱交換換気モード、加熱換気モード、および加湿換気モードで運転している状態（即ち、給気ファン２１、加熱ユニット３、加湿ユニット５、および排気ファン２２は駆動しており、また、外部ダンパ２６は開いている状態）において第１ファンが異常停止した場合を示している。当該運転状態において、第１ファンとしての給気ファン２１（または排気ファン２２）が異常停止状態となった場合には、加熱ユニット３および加湿ユニット５は直ちに駆動停止状態となる。そして、当該場合において、外気温ＯＴが第１閾値ΔＴ１未満の時には、第２ファンとしての排気ファン２２（または給気ファン２１）は、外気温ＯＴが第１閾値ΔＴ１未満であると判定されてから所定時間（本実施形態では９分）経過後に、駆動停止状態となる。また、排気ファン２２が駆動停止状態となるとともに、外部ダンパ２６は閉じられた状態となる。
【０１４２】
その後、外気温ＯＴが第２閾値ΔＴ２以上となった時には、外部ダンパ２６は開かれた状態となり、第２ファンとしての排気ファン２２（または給気ファン２１）は駆動状態となる。
【０１４３】
更にその後、外気温ＯＴが第１閾値ΔＴ１未満となった時には、第２ファンとしての排気ファン２２（または給気ファン２１）は、外気温ＯＴが第１閾値ΔＴ１未満であると判定されてから所定時間（本実施形態では９分）経過後に、駆動停止状態となる。また、排気ファン２２が駆動停止状態となるとともに、外部ダンパ２６は閉じられた状態となる。
【０１４４】
（５−２）外気温センサ４が故障した場合
図１４は、外気温センサ４が故障した場合における各部の状態の変化を示すタイミングチャートである。図１４では、図１２および図１３と同様、空調システム１が、全熱交換換気モード、加熱換気モード、および加湿換気モードで運転している状態（即ち、加熱ユニット３、加湿ユニット５、給気ファン２１、および排気ファン２２は駆動しており、また、外部ダンパ２６は開いている状態）を示している。
【０１４５】
当該運転状態において、外気温センサ４が故障状態となった場合には、加熱ユニット３および加湿ユニット５は直ちに駆動停止状態となる。そして、給気ファン２１および排気ファン２２は、外気温センサ４が故障状態であると判定されてから所定時間（本実施形態では９分）経過後に、駆動停止状態となる。また、給気ファン２１および排気ファン２２が駆動停止状態となるとともに、外部ダンパ２６は閉じられた状態となる。
【０１４６】
（６）特徴
（６−１）
上記実施形態では、安全制御部６５及び換気制御部６２は、給気ファン２１及び排気ファン２２のうちいずれか一方のファンである第１ファンが異常停止した場合、室内空間ＳＩ内を負圧または正圧にするために、給気ファン２１及び排気ファン２２から異常停止した第１ファンを除く残りの第２ファンの運転を継続させている。これにより、給気ファン２１及び排気ファン２２のうちいずれか一方のファンである第１ファンが故障等により異常停止しても、第２ファンの運転によって室内空間ＳＩは負圧または正圧状態となり、室内空間ＳＩ内に外気ＯＡが流入するか、または室内空間ＳＩから内気ＲＡが流出するようになる。このため、給気ファン２１及び排気ファン２２のうちいずれか一方のファンである第１ファンが故障等により異常停止しても、室内空間ＳＩの換気を継続的に行うことが可能であり、空調システム１の信頼性が向上する。
【０１４７】
（６−２）
上記実施形態では、第１ファンとしての給気ファン２１が異常停止した場合、安全制御部６５及び加熱制御部６３は、加熱ユニット３による加熱を停止させる。また、安全制御部６５及び換気制御部６２は、第１ファンとしての給気ファン２１が異常停止した場合、室内空間ＳＩ内を負圧にするために第２ファンとしての排気ファン２２の運転を継続させる。これにより、給気ファン２１が異常停止した場合、室内空間ＳＩが負圧となり、外気ＯＡが室内空間ＳＩ内に流入するようになる。このため、給気ファン２１が故障等により異常停止しても、室内空間ＳＩの換気を継続的に行うことが可能となり、空調システム１の信頼性が向上する。また、給気流路ＦＰ１内に流入する外気ＯＡによって加熱ユニット３が冷却されるため、給気流路ＦＰ１内及び加熱ユニット３の著しい温度上昇が抑制される。したがって、加熱ユニット３を備える空調システム１の安全性が向上する。
【０１４８】
特に、上述した加熱ユニット３は、冬季など低外気温時の換気運転において、低温の外気ＯＡが室内空間ＳＩに流入することで室内空間ＳＩ内の温度が低下することを防ぐべく、給気流路ＦＰ１に取り込んだ外気ＯＡを加熱することを目的として、空調システム１に備えられていることが一般的である。しかしながら、給気ファン２１が異常停止した場合には、給気流路ＦＰ１における空気の流れが停滞するために、加熱ユニット３による加熱を緊急停止したとしても、加熱ユニット３及び給気流路ＦＰ１内の温度が上昇を続け、保安上好ましくない状態となることが懸念される。
【０１４９】
しかし、上記実施形態では、給気ファン２１が異常停止しても、給気流路ＦＰ１内に外気ＯＡが流入するため加熱ユニット３が冷却される。故に、給気流路ＦＰ１内及び加熱ユニット３の著しい温度上昇を抑制でき、加熱ユニット３を備える空調システム３の信頼性及び安全性が向上する。
【０１５０】
（６−３）
上記実施形態では、安全制御部６５及び加熱制御部６３は、給気ファン２１及び排気ファン２２のうちいずれか一方のファンである第１ファンが異常停止した場合、加熱ユニット３への電流供給を遮断することによって加熱ユニット３による加熱を停止させる。これにより、電熱ヒータであるヒータ３１を含む加熱ユニット３を備える空調システム１の信頼性及び安全性が向上する。
【０１５１】
（６−４）
上記実施形態では、安全制御部６５は、給気ファン２１及び排気ファン２２のうちいずれか一方のファンである第１ファンの異常停止を検知する。第１ファンの異常停止が検知された場合、安全制御部６５及び換気制御部６２は、室内空間ＳＩ内を負圧または正圧にするために、給気ファン２１及び排気ファン２２から異常停止した第１ファンを除く残りファンである第２ファンの運転を継続させる。これにより、給気ファン２１及び排気ファン２２のうちいずれか一方のファンである第１ファンが異常停止した場合に、精度よく室内空間ＳＩの換気を継続的に行える。
【０１５２】
（６−５）
上記実施形態では、給気ファン２１及び排気ファン２２のうちいずれか一方のファンである第１ファンの異常停止を検知した場合において、外気温センサ４が検知する外気温ＯＴが、予め設定される第１閾値ΔＴ１未満である時には、安全制御部６５及び換気制御部６２は、外気温ＯＴが第１閾値ΔＴ１未満であると判定されてから９分経過後に、給気停止処理及び外部ダンパ閉処理を実行する。即ち、安全制御部６５及び換気制御部６２は、給気ファン２１及び排気ファン２２から異常停止したファンである第１ファンを除く残りのファンである第２ファンの運転を、所定時間（９分）継続した後に停止させる。これにより、給気ファン２１及び排気ファン２２のうちいずれか一方のファンである第１ファンが異常停止した場合において、冷気が継続的に室内空間ＳＩに流入して室内の温度が低下することが抑制される。したがって、給気ファン２１及び排気ファン２２のうちいずれか一方のファンである第１ファンが異常停止した場合にも、快適性に優れた換気を行える。
【０１５３】
（６−６）
上記実施形態では、給気ファン２１及び排気ファン２２のうちいずれか一方のファンである第１ファンの異常停止を検知した場合において、外気温センサ４が検知する外気温ＯＴが第２閾値ΔＴ２以上となった時には、安全制御部６５及び換気制御部６２は、給気ファン２１及び排気ファン２２から異常停止したファンである第１ファンを除く残りファンである第２ファンの運転を、再開させる。これにより、給気ファン２１及び排気ファン２２のうちいずれか一方のファンである第１ファンが異常停止した場合にも、快適性に優れた換気を行える。
【０１５４】
（６−７）
上記実施形態では、給気ファン２１及び排気ファン２２のうちいずれか一方のファンである第１ファンの異常停止を検知した場合において、外気温センサ４が検知する外気温ＯＴが、予め設定される第２閾値ΔＴ２以上である時には、安全制御部６５及び換気制御部６２は、給気ファン２１及び排気ファン２２から異常停止したファンである第１ファンを除く残りファンである第２ファンの運転を、継続させる。また、その後に外気温センサ４が検知する外気温ＯＴが第１閾値ΔＴ１未満となった時には、安全制御部６５及び換気制御部６２は、所定時間（９分）経過後に給気ファン２１及び排気ファン２２から異常停止した第１ファンを除く残りファンである第２ファンの運転を、停止させる。これにより、給気ファン２１及び排気ファン２２のうちいずれか一方のファンである第１ファンが異常停止した場合にも、快適性に優れた換気を行える。
【０１５５】
（６−８）
上記実施形態では、外気温センサ４が検出する外気温ＯＴの値が、予め設定される所定の数値範囲である基準値ＳＶの範囲外となった時には、安全制御部６５及び加熱制御部６３は、加熱ユニット３による加熱を停止させる。更に、安全制御部６５及び換気制御部６２は、所定時間（９分）経過後に、給気ファン２１及び排気ファン２２の運転を停止させる。これにより、加熱ユニット３及び外気温センサ４を備える空調システム１において、外気温センサ４が故障した場合に、安全性を確保できる。
【０１５６】
（７）変形例
（７−１）変形例１Ａ
上記実施形態では、空調システム１は、換気ユニット２、加熱ユニット３、外気温センサ４及び加湿ユニット５を、それぞれ個別に有していたが、これに限定されない。例えば、加熱ユニット３、外気温センサ４及び加湿ユニット５は、換気ユニット２の内部に組み込まれてもよい。また、加熱ユニット３、外気温センサ４及び加湿ユニット５については、必ずしも必要ではなく、適宜省略してもよい。なお、その場合は、加熱換気モード及び加湿換気モードについては省略すればよい。
【０１５７】
（７−２）変形例１Ｂ
上記実施形態では、ロータ位置検出部２０１が、ホール素子Ｈ１〜３から出力される信号に基づいてロータＲｔの位置を検出し、ロータＲｔの位置情報を生成して安全制御部６５の取得部６５１へ送っていた。しかし、ホール素子Ｈ１〜３およびロータ位置検出部２０１については必ずしも必要ではなく、適宜省略してもよい。かかる場合には、例えば換気制御部６２がいわゆるロータ位置センサレス方式により、給気ファンモータＭ２１および排気ファンモータＭ２２のロータＲｔの位置をそれぞれ推定し、推定したロータＲｔの位置情報を生成して取得部６５１へ送るようにしてもよい。
【０１５８】
（７−３）変形例１Ｃ
上記実施形態では、換気ユニット２には、全熱交換器２３が配設されたが、これに限定されない。例えば、全熱交換器２３を省略した構成としてもよい。また、全熱交換器２３の代わりに顕熱交換器を配設してもよい。
【０１５９】
（７−４）変形例１Ｄ
上記実施形態では、加熱ユニット３のヒータ３１に電熱ヒータが用いられたが、これに限定されない。例えば、ヒータ３１は、カーボンヒータでもよく、また、ヒートポンプ方式の冷凍装置や、ガスヒータであってもよい。
【０１６０】
（７−５）変形例１Ｅ
上記実施形態では、コントローラ６は、換気ユニット２内に配設されたが、これに限定されない。例えば、コントローラ６は、換気ユニット２や加熱ユニット３等の他の機器と無線ＬＡＮやインターネット等のネットワークで結ばれた遠隔地等に設置されてもよい。また、加熱ユニット３や加湿ユニット５の内部に組み込まれてもよいし、室内空間ＳＩに設置されてもよい。同様に、記憶部６１や安全制御部６５などのコントローラ６に組み込まれた各部についても、必ずしもコントローラ６の内部に組み込まれる必要はない。
【０１６１】
（７−６）変形例１Ｆ
上記実施形態では、コントローラ６は、主として、記憶部６１と、換気制御部６２と、加熱制御部６３と、加湿制御部６４と、安全制御部６５と、から構成されていたが、当該構成には必ずしも限定されない。例えば、加熱制御部６３、加湿制御部６４及び安全制御部６５を省略して、換気制御部６２にこれらの機能を担わせてもよい。
【０１６２】
（７−７）変形例１Ｇ
上記実施形態では、ユーザによって空調システム１の運転停止指示が入力された場合には、換気制御部６２は、所定時間（３分）の経過を待たずに、排気停止処理を実行していたが、これに限定されない。例えば、換気制御部６２は、給気停止処理と同様に、所定時間（３分）の経過を待ってから排気停止処理を実行するように構成してもよい。
【０１６３】
（７−８）変形例１Ｈ
上記実施形態では、安全制御部６５は、主として、取得部６５１、判定部６５２、および駆動信号生成部６５３から構成されたが、当該構成には限定されない。即ち、取得部６５１、判定部６５２、および駆動信号生成部６５３は、必ずしも安全制御部６５に含まれる必要はない。例えば、取得部６５１を安全制御部６５とは別に設けてもよいし、判定部６５２を安全制御部６５とは別に設けてもよい。
【０１６４】
（７−９）変形例１Ｉ
上記実施形態では、安全制御部６５は、記憶部６１から出力された安全制御プログラムを適宜取得していたが、これに限定されず、自ら保持していてもよい。例えば、安全制御部６５の取得部６５１に安全制御プログラムを格納してもよい。
【０１６５】
（７−１０）変形例１Ｊ
上記実施形態では、安全制御部６５は、生成及び出力する遅延給気停止制御信号、遅延排気停止制御信号及び遅延換気停止制御信号において、外気温ＯＴが第１閾値ΔＴ１未満である、または外気温センサ４が故障している、と判定されてから、所定時間である９分の経過を待って換気制御部６２に各処理を実行させるようにしていた。しかし、当該所定時間は、９分に限定されず、設置環境や設計仕様に応じて適宜変更が可能である。即ち、当該所定時間は、加熱ユニット３停止後の余熱による給気ダクト１ａ及び加熱ユニット３の温度上昇を抑制するための冷却時間として、適当な時間が設定されればよく、例えば、当該所定時間を６分に設定してもよい。
【０１６６】
また、外気温ＯＴが第１閾値ΔＴ１未満である、または外気温センサ４が故障している、と判定されてから所定時間（９分）が経過していない場合であっても、加熱停止処理が完了してからすでに当該所定時間（９分）がすでに経過している場合（すなわち、加熱ユニット３停止後における冷却時間がすでに経過している場合）には、換気制御部６２に当該所定時間（９分）の経過を待たずに各処理を実行させるように構成してもよい。
【０１６７】
また、外気温ＯＴが第１閾値ΔＴ１未満である、または外気温センサ４が故障している、と判定されてからではなく、加熱停止処理が完了してから所定時間（９分）の経過後に、換気制御部６２に各処理を実行させるように構成してもよい。
【０１６８】
（７−１１）変形例１Ｋ
上記実施形態では、判定部６５２は、ロータ位置検出部２０１から送られるロータＲｔの位置情報に基づいて、給気ファン２１及び排気ファン２２の異常停止の有無を判定していた。しかし、給気ファン２１及び排気ファン２２の異常停止の判定方法についてはこれに限定されず、どのような態様であってもよい。例えば、給気ファン２１の異常停止の判定は、外気温センサ４が検出する外気温ＯＴの値に基づいて行われてもよい。かかる場合には、ロータ位置検出部２０１は、必ずしも必要ではない。
【０１６９】
（７−１２）変形例１Ｌ
上記実施形態では、基準値ＳＶは、−１００℃から６０℃の数値に設定されたが、これに限定されず、設計仕様や設置環境に応じて適宜変更が可能である。例えば、基準値ＳＶは、−８０℃から５０℃に設定されてもよい。
【０１７０】
（７−１３）変形例１Ｍ
上記実施形態では、安全制御部６５の駆動信号生成部６５３は、参照するテーブル（図１０）を自ら保持していたが、当該テーブルを記憶部６１に格納しておいて、記憶部６１から適宜取得するようにしてもよい。
【０１７１】
（７−１４）変形例１Ｎ
上記実施形態では、安全制御部６５の駆動信号生成部６５３は、給気継続制御信号及び排気継続制御信号を生成し、換気制御部６２へ出力していたが（図１０のｃｌ１およびｃｌ３、図１１のステップＳ１１０を参照）、当該処理については省略してもよい。即ち、給気継続制御信号及び排気継続制御信号については、必ずしも生成及び出力する必要はない。
【０１７２】
また、駆動信号生成部６５３は、加熱停止制御信号、加湿停止制御信号、排気継続制御信号、遅延排気停止制御信号、排気再開制御信号、給気継続制御信号、遅延給気停止制御信号、給気再開制御信号などの制御信号を生成して、換気制御部６２、加熱制御部６３、加湿制御部６４などへ出力していたが、これらの制御信号については必ずしも生成する必要はない。その場合、駆動信号生成部６５３は、自ら加熱停止処理や加湿停止処理などを行って、空調システム１の各部の動作を直接制御する。
【０１７３】
（７−１５）変形例１Ｏ
上記実施形態では、第１閾値ΔＴ１および第２閾値ΔＴ２は、ともに０℃に設定されたが、当該値には限定されず、設置環境や設計仕様に応じて適宜変更が可能である。例えば、第１閾値ΔＴ１および第２閾値ΔＴ２は、−５℃に設定されてもよく、または５℃に設定されてもよい。また、第１閾値ΔＴ１と、第２閾値ΔＴ２とは、それぞれ異なる値に設定されてもよい。例えば第１閾値ΔＴ１は０℃に設定され、第２閾値ΔＴ２は５℃に設定されるようにしてもよい。
【０１７４】
（７−１６）変形例１Ｐ
上記実施形態では、安全制御部６５の駆動信号生成部６５３は、第１ファンとしての排気ファン２２が異常停止した場合、外気温ＯＴの値に関わらず、加熱停止制御信号及び加湿停止制御信号を生成して、換気制御部６２へ出力していた。しかし、第１ファンとしての排気ファン２２が異常停止した場合において、外気温ＯＴが第２閾値ΔＴ２以上の時には、加熱停止制御信号及び加湿停止制御信号を生成及び出力しないようにしてもよい。即ち、第１ファンとしての排気ファン２２が異常停止した場合において、外気温ＯＴが第２閾値ΔＴ２以上の時には、加熱ユニット３及び加湿ユニット５の駆動を継続させるように構成してもよい。
【産業上の利用可能性】
【０１７５】
本発明は、複数のファンを備える換気装置に利用可能である。
【符号の説明】
【０１７６】
１              空調システム（換気装置）
１ａ            給気ダクト
１ｂ            排気ダクト
２              換気ユニット
２０            ケーシング
２０ａ          導入口
２０ｂ          給気口
２０ｃ          還気口
２０ｄ          排気口
２００          インバータ
２０１          ロータ位置検出部
２１            給気ファン
２２            排気ファン
２３            全熱交換器
２４            流路切換ダンパ
２６ａ          第１外部ダンパ
２６ｂ          第２外部ダンパ
２７            給気流路
２８ａ          第１排気流路
２８ｂ          第２排気流路
３              加熱ユニット（加熱部）
３１            ヒータ
３２            第１電源部
４              外気温度センサ
５              加湿ユニット
５０ａ          給気流路
５１            流入口
５２            流出口
５３            加湿部
５４            水槽
５５            加湿ヒータ
５５ａ          第２電源部
５６            給水配管
５７            給水バルブ
５８            排水配管
５９            排水バルブ
６              コントローラ
６ａ            配線
６１            記憶部
６２            換気制御部（ファン制御部）
６３            加熱制御部（加熱制御部）
６４            加湿制御部
６５            安全制御部（ファン制御部、加熱制御部、異常停止検知部）
６５１          取得部
６５２          判定部
６５３          駆動信号生成部
７              操作パネル
ＦＰ１          給気流路
ＦＰ２          排気流路
Ｍ２１          給気ファンモータ
Ｍ２２          排気ファンモータ
Ｍ２４          流路切換ダンパモータ
Ｍ２６ａ        第１外部ダンパモータ
Ｍ２６ｂ        第２外部ダンパモータ
ＣＩ            天井部
ＳＯ            室外空間
ＳＩ            室内空間（対象空間）
ＷＯ            外壁
【先行技術文献】
【特許文献】
【０１７７】
【特許文献１】特開２００５−４２９５５号公報
【図１】
2014152978.tif 000003
【図２】
2014152978.tif 000004
【図３】
2014152978.tif 000005
【図４】
2014152978.tif 000006
【図５】
2014152978.tif 000007
【図６】
2014152978.tif 000008
【図７】
2014152978.tif 000009
【図８】
2014152978.tif 000010
【図９】
2014152978.tif 000011
【図１０】
2014152978.tif 000012
【図１１】
2014152978.tif 000013
【図１２】
2014152978.tif 000014
【図１３】
2014152978.tif 000015
【図１４】
2014152978.tif 000016
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
対象空間（ＳＩ）の換気を行うための換気装置（１）であって、
前記対象空間外の空気である外気（ＯＡ）を前記対象空間内に取り込む給気ファン（２１）と、
前記対象空間内の空気である内気（ＲＡ）を前記対象空間外（ＳＯ）に排出する排気ファン（２２）と、
前記給気ファン及び前記排気ファンの運転を制御するファン制御部（６２、６５）と、
前記給気ファンによって取り込まれる外気が通過する給気流路（ＦＰ１）上に配設され、前記給気ファンによって取り込まれる外気を加熱可能な加熱部（３）と、
前記加熱部の運転を制御する加熱制御部（６３、６５）と、
を備え、
前記加熱制御部は、第１ファンが異常停止した場合、前記加熱部による加熱を停止させ、
前記ファン制御部は、前記第１ファンが異常停止した場合、前記対象空間内を負圧にするために、第２ファンの運転を継続させ、
前記第１ファンは、前記給気ファンであり、
前記第２ファンは、前記排気ファンである、
換気装置。
【請求項２】
対象空間（ＳＩ）の換気を行うための換気装置（１）であって、
前記対象空間外の空気である外気（ＯＡ）を前記対象空間内に取り込む給気ファン（２１）と、
前記対象空間内の空気である内気（ＲＡ）を前記対象空間外（ＳＯ）に排出する排気ファン（２２）と、
前記給気ファン及び前記排気ファンの運転を制御するファン制御部（６２、６５）と、
前記給気ファン及び前記排気ファンのうちいずれか一方のファンである第１ファンの異常停止を検知する異常停止検知部（６５）と、
前記給気ファンによって取り込まれる外気の温度である外気温（ＯＴ）を検知する外気温センサ（４）と、
を備え、
前記ファン制御部は、前記異常停止検知部が前記第１ファンの異常停止を検知した場合、前記対象空間内を負圧または正圧にするために、前記給気ファン及び前記排気ファンから前記第１ファンを除く残りのファンである第２ファンの運転を継続させ、前記外気温センサが検知する前記外気温が、予め設定される第１閾値（ΔＴ１）未満である時には、前記第２ファンの運転を所定時間継続した後に停止させる、
換気装置。
【請求項３】
対象空間（ＳＩ）の換気を行うための換気装置（１）であって、
前記対象空間外の空気である外気（ＯＡ）を前記対象空間内に取り込む給気ファン（２１）と、
前記対象空間内の空気である内気（ＲＡ）を前記対象空間外（ＳＯ）に排出する排気ファン（２２）と、
前記給気ファン及び前記排気ファンの運転を制御するファン制御部（６２、６５）と、
前記給気ファン及び前記排気ファンのうちいずれか一方のファンである第１ファンの異常停止を検知する異常停止検知部（６５）と、
前記給気ファンによって取り込まれる外気の温度である外気温（ＯＴ）を検知する外気温センサ（４）と、
を備え、
前記ファン制御部は、前記異常停止検知部が前記第１ファンの異常停止を検知した場合において、前記外気温センサが検知する前記外気温が予め設定される第２閾値（ΔＴ２）以上である時には、前記対象空間内を負圧または正圧にするために、前記給気ファン及び前記排気ファンから前記第１ファンを除く残りのファンである第２ファンの運転を継続させ、その後に前記外気温センサが検知する前記外気温が予め設定される第１閾値（ΔＴ１）未満となった時には、所定時間経過後に前記第２ファンの運転を停止させる、
換気装置。
【請求項４】
対象空間（ＳＩ）の換気を行うための換気装置（１）であって、
前記対象空間外の空気である外気（ＯＡ）を前記対象空間内に取り込む給気ファン（２１）と、
前記対象空間内の空気である内気（ＲＡ）を前記対象空間外（ＳＯ）に排出する排気ファン（２２）と、
前記給気ファン及び前記排気ファンの運転を制御するファン制御部（６２、６５）と、
前記給気ファン及び前記排気ファンのうちいずれか一方のファンである第１ファンの異常停止を検知する異常停止検知部（６５）と、
前記給気ファンによって取り込まれる外気が通過する給気流路（ＦＰ１）上に配設され、前記給気ファンによって取り込まれる外気を加熱可能な加熱部（３）と、
前記加熱部の運転を制御する加熱制御部（６３、６５）と、
前記給気ファンによって取り込まれる外気の温度である外気温（ＯＴ）を検知する外気温センサ（４）と、
を備え、
前記加熱制御部は、前記外気温センサが検出する外気温の値が、予め設定される所定の数値範囲（ＳＶ）外となった時には、前記加熱部による加熱を停止させ、
前記ファン制御部は、
前記異常停止検知部が前記第１ファンの異常停止を検知した場合、前記対象空間内を負圧または正圧にするために、前記給気ファン及び前記排気ファンから前記第１ファンを除く残りのファンである第２ファンの運転を継続させ、
前記外気温センサが検出する外気温の値が前記所定の数値範囲外となった時には、所定時間経過後に前記給気ファン及び前記排気ファンの運転を停止させる、
換気装置。
【請求項５】
対象空間（ＳＩ）の換気を行うための換気装置（１）であって、
前記対象空間外の空気である外気（ＯＡ）を前記対象空間内に取り込む給気ファン（２１）と、
前記対象空間内の空気である内気（ＲＡ）を前記対象空間外（ＳＯ）に排出する排気ファン（２２）と、
前記給気ファン及び前記排気ファンの運転を制御するファン制御部（６２、６５）と、
前記給気ファンによって取り込まれる外気が通過する給気流路（ＦＰ１）上に配設さ れ、前記給気ファンによって取り込まれる外気を加熱可能な加熱部（３）と、
前記加熱部の運転を制御する加熱制御部（６３、６５）と、
前記給気ファンによって取り込まれる外気の温度である外気温（ＯＴ）を検知する外気温センサ（４）と、
を備え、
前記加熱制御部は、前記外気温センサが検出する外気温の値が、予め設定される所定の数値範囲（ＳＶ）外となった時には、前記加熱部による加熱を停止させ、
前記ファン制御部は、
前記給気ファン及び前記排気ファンのうちいずれか一方のファンである第１ファンが異常停止した場合、前記対象空間内を負圧または正圧にするために、前記給気ファン及び前記排気ファンから前記第１ファンを除く残りのファンである第２ファンの運転を継続させ、
前記外気温センサが検出する外気温の値が前記所定の数値範囲外となった時には、所定時間経過後に前記給気ファン及び前記排気ファンの運転を停止させる、
換気装置。
【請求項６】
前記加熱部は、その内部に電流が供給されることによって発生する熱と、前記給気ファンによって取り込まれる外気と、を熱交換させることにより、前記給気ファンによって取り込まれる外気を加熱し、
前記加熱制御部は、前記第１ファンが異常停止した場合、前記加熱部への電流の供給を遮断することによって前記加熱部による加熱を停止させる、
請求項１に記載の換気装置。
【請求項７】
前記第１ファンの異常停止を検知する異常停止検知部（６５）、
をさらに備える、
請求項１又は６に記載の換気装置。
【請求項８】
前記給気ファンによって取り込まれる外気の温度である外気温（ＯＴ）を検知する外気温センサ（４）、
をさらに備え、
前記ファン制御部は、
前記異常停止検知部が前記第１ファンの異常停止を検知した場合において、前記外  気温センサが検知する前記外気温が、予め設定される第１閾値（ΔＴ１）未満である  時には、前記第２ファンの運転を所定時間継続した後に停止させる、
請求項７に記載の換気装置。
【請求項９】
前記ファン制御部は、前記外気温センサが検知する前記外気温が予め設定される第２閾値（ΔＴ２）以上となった時には、前記第２ファンの運転を再開させる、
請求項２又は８に記載の換気装置。
【請求項１０】
前記給気ファンによって取り込まれる外気の温度である外気温（ＯＴ）を検知する外気温センサ（４）、
をさらに備え、
前記ファン制御部は、
前記異常停止検知部が前記第１ファンの異常停止を検知した場合において、前記外  気温センサが検知する前記外気温が予め設定される第２閾値（ΔＴ２）以上である時  には、前記第２ファンの運転を継続させ、その後に前記外気温センサが検知する前記  外気温が予め設定される第１閾値（ΔＴ１）未満となった時には、所定時間経過後に  前記第２ファンの運転を停止させる、
請求項２、７、８及び９のいずれか１項に記載の換気装置。
【請求項１１】
前記給気ファンによって取り込まれる外気が通過する給気流路（ＦＰ１）上に配設され、前記給気ファンによって取り込まれる外気を加熱可能な加熱部（３）と、
前記加熱部の運転を制御する加熱制御部（６３、６５）と、
前記給気ファンによって取り込まれる外気の温度である外気温（ＯＴ）を検知する外気温センサ（４）と、
をさらに備え、
前記加熱制御部は、
前記外気温センサが検出する外気温の値が、予め設定される所定の数値範囲（ＳＶ  ）外となった時には、前記加熱部による加熱を停止させ、
前記ファン制御部は、
前記外気温センサが検出する外気温の値が前記所定の数値範囲外となった時には、  所定時間経過後に前記給気ファン及び前記排気ファンの運転を停止させる、
請求項１、２、３及び６から１０のいずれか１項に記載の換気装置。